(57)【要約】【課題】撮像した画像を画像出力装置が異なるアスペクト比で出力するときに、見た目が変化しない画像を出力する。【解決手段】無線通信ＣＰＵ１５が、プリンタ３へ送信するように指定された画像のアスペクト比とプリンタ３から送信された画像サイズデータから算出されるアスペクト比とを比較する。そして、プリンタ３へ送信するように指定された画像のアスペクト比と画像サイズデータから算出されるアスペクト比とが異なるときには、プリンタ３へ送信するように指定された画像の両端に端部に沿った矩形領域を付加する処理を行い、矩形領域を含めた画像のアスペクト比を、画像サイズデータによってしめされるアスペクト比と一致させる。また、無線通信ＣＰＵ１５は、付加した矩形領域の色を、プリンタ３によって画像が印刷されるときに使用される紙の色と同じ色とする。【選択図】　図５
2004040214.tif 000002
【特許請求の範囲】
【請求項１】
画像を撮像する撮像手段と、
外部の画像出力装置との間でデータの送受信を行う通信手段と、
上記撮像手段が撮像した画像に、当該画像の端部に沿って矩形領域を付加するとともに、当該矩形領域の色を所定の色とする矩形領域付加手段とを備え、
上記通信手段が、上記画像出力装置から、当該画像出力装置が出力する画像のサイズを受信し、
上記矩形領域付加手段が、上記通信手段が受信した画像のサイズに基づいてアスペクト比を算出し、上記撮像装置が撮像した画像のアスペクト比と上記通信手段が受信したサイズから算出されたアスペクト比とが異なるときには、当該画像の端部に当該端部に沿った矩形領域を付加するとともに、当該矩形領域を所定の色とした後に、
上記矩形領域付加手段が、上記撮像装置が撮像した画像のアスペクト比と上記通信手段が受信した画像サイズから算出されたアスペクト比とが異なるときに、当該画像の端部に当該端部に沿った矩形領域を付加するとともに、当該矩形領域を所定の色とし、
上記通信手段が、上記矩形領域付加手段によって矩形領域が付加された画像のデータを、上記画像出力装置に対して送信すること
を特徴とする撮像装置。
【請求項２】
上記画像出力装置はプリンタであり、
上記矩形領域付加手段は、上記矩形領域の色を、画像が印刷される紙と同じ色とすること
を特徴とする請求項１記載の撮像装置。
【請求項３】
上記通信手段は、上記画像出力装置との間でＢｌｕｅｔｏｏｔｈ方式に従ったデータの送受信を行うこと
を特徴とする請求項１記載の撮像装置。
【発明の詳細な説明】
【０００１】
【発明の属する技術分野】
本発明は、例えばプリンタなどの画像出力機器に対して撮像した画像のデータを送信することによって、当該画像を画像出力機器から出力することが可能な撮像装置に関する。
【０００２】
【従来の技術】
デジタルスチルカメラなどの撮像装置では、画像出力装置と接続して当該画像出力装置に対して撮像した画像のデータを送信し、撮像した画像を画像出力装置から出力することができる。例えば、デジタルスチルカメラとプリンタとを接続し、デジタルスチルカメラからプリンタへ撮像した画像のデータを送信することによって、当該プリンタは、デジタルスチルカメラが撮像した画像を印刷することができる。
【０００３】
一方、近年、無線ＬＡＮ（Ｌｏｃａｌ　Ａｒｅａ　Ｎｅｔｗｏｒｋ）システムの分野において、２．４ＧＨｚ帯の電波を用い、周波数ホッピングに準じた処理をして各機器間でデータの送受信を行うＢｌｕｅｔｏｏｔｈ方式を採用したシステムの開発が行われている。
【０００４】
Ｂｌｕｅｔｏｏｔｈ方式は、複数のパーソナルコンピュータやデバイス間でアドホックな無線ネットワーキングを実現するための方式である。このＢｌｕｅｔｏｏｔｈ方式は、日欧５社がＢｌｕｅｔｏｏｔｈ　ＳＩＧ（Ｓｐｅｃｉａｌ　Ｉｎｔｅｒｅｓｔ　Ｇｒｏｕｐ）に参加して策定された。Ｂｌｕｅｔｏｏｔｈ方式により、パーソナルコンピュータ、ＰＤＡ（Ｐｅｒｓｏｎａｌ　Ｄｉｇｉｔａｌ　Ａｓｓｉｓｔａｎｔ）、携帯電話などの間で無線通信によるデータを送受信が可能となる。すなわち、Ｂｌｕｅｔｏｏｔｈ方式により、パーソナルコンピュータ、ＰＤＡ、携帯電話などをケーブルで接続する煩雑さを、回避することができる。
【０００５】
以上説明したＢｌｕｅｔｏｏｔｈ方式は、デジタルスチルカメラとプリンタとの間におけるデータの送受信にも適用できる。Ｂｌｕｅｔｏｏｔｈ方式でデジタルスチルカメラからプリンタへ画像データを送信するときには、先ず、プリンタが、デジタルスチルカメラに対して出力する画像のサイズを示すサイズデータを送信する。そして、デジタルスチルカメラがプリンタに対して指定されたサイズの画像のデータを送信する。
【０００６】
【発明が解決しようとする課題】
ところで、デジタルスチルカメラで撮像される画像のデータは、通常アスペクト比が４：３とされている。
【０００７】
ところが、プリンタが印刷する画像のアスペクト比は、常に４：３とは限らない。
【０００８】
例えば、はがきはアスペクト比が３：２であるので、プリンタは、はがきに対して画像を印刷するときには、アスペクト比が３：２の画像を印刷する。デジタルスチルカメラからプリンタへの画像データの送信をＢｌｕｅｔｏｏｔｈ方式に従って行うときには、先ず、プリンタがデジタルスチルカメラに対して、印刷する画像とアスペクト比が同じである画像のデータを送信するように要求する。すなわち、プリンタがはがきに対して画像を印刷するときには、デジタルスチルカメラは、送信する画像のアスペクト比を３：２に変更した後にプリンタに対して送信する必要が生じる。
【０００９】
デジタルスチルカメラが撮像した画像のアスペクト比を変更する方法としては、例えば特開２０００−１０１９１２号公報に示されるように、アスペクト比に合わせて解像度を変更する方法、アスペクト比に合わせて外周側の画像のデータを削除する方法、アスペクト比に合わせて画像の外周に黒枠を形成する方法などが挙げられる。
【００１０】
しかしながら、アスペクト比に合わせて画像の解像度を変更すると、画像が歪んでしまう。また、画像が歪むと、画像の判別が困難となる場合が生じたり、印刷された画像を使用して第３者に正確な情報を伝えることが不可能となるなどの問題が生じる虞がある。
【００１１】
また、アスペクト比に合わせて画像の外周側のデータを削除すると、デジタルスチルカメラが撮像した画像の中央部のみが印刷されて、画像の外周側が印刷されないこととなる。すなわち、デジタルスチルカメラが撮像した画像の全体を印刷することが不可能となる。デジタルスチルカメラが撮像した画像の全体を印刷できないと、例えば、元の画像には被写体が全て写っているにも拘わらず被写体の全体を印刷することが不可能となったり、目的の被写体が画像の外周側に写っているときには印刷することが不可能となるなどの不都合が生じる。
【００１２】
さらに、アスペクト比に合わせて画像の外周に黒枠を形成したときには、印刷された画像の外周にも黒枠が形成されるために目障りとなる。また、印刷された画像の外周に黒枠が形成されていることにより、印刷された画像の用途が制限されたり、印刷された画像を使用するときに黒枠を切り取るなどの煩雑な作業が必要となるなどの不都合が生じる虞がある。
【００１３】
本発明は以上説明した従来の実情を鑑みて提案されたものであり、撮像装置によって撮像された画像のアスペクト比と画像出力装置から出力される画像のアスペクト比とが異なるときにも、撮像装置が撮像した画像と比較して見た目が変化しない状態の画像を画像出力装置から出力できるように画像に対して加工を施すことが可能であり、さらに加工した画像のデータを画像出力装置に対して送信することが可能な撮像装置を提供することを目的とする。
【００１４】
【課題を解決するための手段】
本発明に係る撮像装置は、画像を撮像する撮像手段と、外部の画像出力装置との間でデータの送受信を行う通信手段と、上記撮像手段が撮像した画像に、当該画像の端部に沿って矩形領域を付加するとともに、当該矩形領域の色を所定の色とする矩形領域付加手段とを備え、上記通信手段が、上記画像出力装置から、当該画像出力装置が出力する画像のサイズを受信し、上記矩形領域付加手段が、上記通信手段が受信した画像のサイズに基づいてアスペクト比を算出し、上記撮像装置が撮像した画像のアスペクト比と上記通信手段が受信したサイズから算出されたアスペクト比とが異なるときには、当該画像の端部に当該端部に沿った矩形領域を付加するとともに、当該矩形領域を所定の色とした後に、上記矩形領域付加手段が、上記撮像装置が撮像した画像のアスペクト比と上記通信手段が受信した画像サイズから算出されたアスペクト比とが異なるときに、当該画像の端部に当該端部に沿った矩形領域を付加するとともに、当該矩形領域を所定の色とし、上記通信手段が、上記矩形領域付加手段によって矩形領域が付加された画像のデータを、上記画像出力装置に対して送信することを特徴とする。
【００１５】
【発明の実施の形態】
以下、本発明の実施の形態について、図面を参照しながら詳細に説明する。
【００１６】
本発明は、例えば、図１に示す画像送信システム１に適用される。
【００１７】
画像送信システム１は、デジタルスチルカメラ２と、プリンタ３とを備えている。デジタルスチルカメラ２とプリンタ３とは、近距離無線通信網４を介して無線接続されている。
【００１８】
画像送信システム１では、デジタルスチルカメラ２とプリンタ３との間のデータ通信を実現するために、Ｂｌｕｅｔｏｏｔｈ（以下、ＢＴという。）方式を採用している。
【００１９】
ＢＴ方式は、日欧５社が１９９８年５月に標準化活動を開始した近距離無線通信技術の呼称である。ＢＴ方式では、最大データ伝送速度が１Ｍｂｐｓ（実効的には７２１Ｋｂｐｓ）であり、最大伝送距離が１０ｍ程度である近距離無線通信網を構築してデータ通信を行う。また、ＢＴ方式では、無許可で利用可能な２．４ＧＨｚ帯のＩＳＭ（Ｉｎｄｕｓｔｒｉａｌ　Ｓｃｉｅｎｔｉｆｉｃ　Ｍｅｄｉｃａｌ）周波数帯域に７９個又は２３個のチャネルを設定し、１秒間に１６００回チャネルを切り替える周波数ホッピング方式のスペクトラム拡散技術を採用して無線データの送受信を行う。
【００２０】
デジタルスチルカメラ２は、近距離無線通信網４を介してプリンタ３と無線接続され、画像データをプリンタ３に対して送信する。デジタルスチルカメラ２は、無線通信システム１内でＢＴ方式に従ってプリンタ３とデータを送受信するためのデジカメ用ＢＴモジュール２ａを実装している。デジカメ用ＢＴモジュール２ａは、ＢＴ方式に従ってプリンタ３とデータを送受信するためのプロトコル、当該プロトコルを実行するモジュールを備える。
【００２１】
プリンタ３は、近距離無線通信網４を介してデジタルスチルカメラ２と接続される。プリンタ３は、無線通信システム１内でＢＴ方式に従ってデジタルスチルカメラ２とデータを送受信するためのプリンタ用ＢＴモジュール３ａを実装している。プリンタ用ＢＴモジュール３ａは、ＢＴ方式に従ってプリンタ３とデータを送受信するためのプロトコル、当該プロトコルを実行するモジュールを備える。
【００２２】
また、デジカメ用ＢＴモジュール２ａには、図２に示すようなデジカメプロトコルスタック２ｂが実装され、プリンタ用ＢＴモジュール３ａにはプリンタプロトコルスタック３ｂが実装される。
【００２３】
デジカメプロトコルスタック２ｂ及びプリンタプロトコルスタック３ｂには、図２に示すように、下位レイヤとして、２．４ＧＨｚ帯でデータを周波数ホッピング変調して送受信するＲＦ（Ｒａｄｉｏ　Ｆｒｅｑｅｎｃｙ）レイヤ、ベースバンド制御を行うＢＢ（Ｂａｓｅ　Ｂａｎｄ）レイヤ、接続の確立及び解放並びにリンクのハンドリングを行うＬＭＰ（Ｌｉｎｋ　Ｍａｎａｇｅｒ　Ｐｒｏｔｏｃｏｌ）レイヤ、各種プロトコルのマルチプレクス並びにセグメントの確立及び分解を行うＬ２ＣＡＰ（Ｌｏｇｉｃａｌ　Ｌｉｎｋ　Ｃｏｎｔｒｏｌａｎｄ　Ａｄａｐｔａｔｉｏｎ　Ｐｒｏｔｏｃｏｌ）レイヤ、ＲＳ２３２Ｃシリアルラインをエミュレーションする簡易トランスポートプロトコルであるＲＦＣＯＭＭレイヤが実装されている。また、デジカメプロトコルスタック２ｂ及びプリンタプロトコルスタック３ｂには、上位レイヤとして、ＡＰ（Ａｐｐｌｉｃａｔｉｏｎ）レイヤが実装されている。
【００２４】
デジカメプロトコルスタック２ｂの下位レイヤとプリンタプロトコルスタック３ｂの下位レイヤとが対応していることで、デジタルスチルカメラ２は、プリンタ３との間でＢＴ方式に従った無線データの送受信を行うことが可能となる。
【００２５】
以下では、画像送信システム１を構成するデジタルスチルカメラ２について詳細に説明する。
【００２６】
デジタルスチルカメラ２は、図３に示すように、ラジオモデム１１と、リンクコントローラ１２と、シリアルドライバ１３と、ＢＴ対応アンテナ１４と、無線通信ＣＰＵ（Ｃｅｎｔｒａｌ　Ｐｒｏｃｅｓｓｉｎｇ　Ｕｎｉｔ）１５と、ＤＲＡＭ（Ｄｙｎａｍｉｃ　Ｒａｎｄｏｍ　Ａｃｃｅｓｓ　Ｍｅｍｏｒｙ）１６と、フラッシュメモリ１７と、撮像部１８と、システムバス１９とを備えている。
【００２７】
なお、デジタルスチルカメラ２では、撮像部１８以外の部分がＢＴモジュール２ａに相当する。
【００２８】
ラジオモデム１１は、スイッチ２１と、受信部２２と、送信部２３と、ホッピングシンセサイザ部２４とを備えている。
【００２９】
スイッチ２１は、無線通信ＣＰＵ１５からの制御信号に応じて動作する。具体的に説明すると、スイッチ２１は、ＢＴ対応アンテナ１４で無線データを受信したときにはＢＴ対応アンテナ１４からの無線データを受信部２２に出力するように動作し、ＢＴ対応アンテナ１４から無線データを送信するときには送信部２３からＢＴ対応アンテナ１４へ無線データを出力するように動作する。
【００３０】
受信部２２は、スイッチ２１から供給された無線データをリンクコントローラ１２へ出力する。受信部２２は、ホッピングシンセサイザ部２４によってホッピング周波数パターンが指定され、無線データを受信するときの周波数パターンに従って２．４ＧＨｚ帯の搬送波を取り除いてから、無線データを０，１のデータにしてリンクコントローラ１２へ出力する。
【００３１】
送信部２３は、リンクコントローラ１２で生成され一次変調された０，１のデータを、スイッチ２１へ出力する。送信部２３は、ホッピングシンセサイザ部２４によって指定されたホッピング周波数パターンに従って、２．４ＧＨｚの搬送波をのせた無線データを生成して、当該データをスイッチ２１へ出力する。送信部２３が生成したデータは、ＢＴ対応アンテナ１４から近距離無線通信網４を介してプリンタ３へ送信される。
【００３２】
ホッピングシンセサイザ部２４は、リンクコントローラ１２の制御に従って、受信部２２及び送信部２３に対してホッピング周波数パターンを指定する。具体的に説明すると、ホッピングシンセサイザ部２４は、ＢＴ対応アンテナ１４から無線データを受信するときには、リンクコントローラ１２で指定された周波数パターンに従って受信部２２で取り除く搬送波の周波数をスロット毎に変更する。また、ホッピングシンセサイザ部２４は、ＢＴ対応アンテナ１４から無線データを送信するときには、送信部２３でリンクコントローラ１２からのデータに周波数変換を施すための周波数パターンに従って、送信部２３でデータにのせる搬送波の周波数をスロット毎に変更する。
【００３３】
以上説明したホッピングシンセサイザ部２４は、例えば２．４ＧＨｚ帯を１ＭＨｚ毎に分割することによって設定された２３チャネル上に毎秒１６００回の周波数ホッピングを行うように、周波数制御を行う。
【００３４】
リンクコントローラ１２は、受信部２２から無線データが供給され、周波数ホッピングにより周波数変調された無線データを復調する処理を行う。また、リンクコントローラ１２は、ＢＴ対応アンテナ４から無線データを送信するときには、送信するデータに一次変調を施して送信部２３に出力する。
【００３５】
また、リンクコントローラ１２は、ホッピングシンセサイザ部２４にホッピング周波数パターンを与えることにより、ホッピングシンセサイザ部２４を制御する。これにより、リンクコントローラ１２は、デジタルスチルカメラ２から送信する無線データの送信タイミングを制御するとともに、デジタルスチルカメラ２が受信する無線データの受信タイミングを制御する。リンクコントローラ１２は、例えば、ｆ（ｋ）、ｆ（ｋ＋１）、ｆ（ｋ＋２）、・・・のホッピング周波数パターンを、ホッピングシンセサイザ部２４に与える。
【００３６】
さらに、リンクコントローラ１２は、送信部２３の送信出力を変化させるように制御する機能を有し、無線通信ＣＰＵ１５からデジタルスチルカメラ２とプリンタ３との距離を示す情報を得て、送信部２３で生成する無線データの出力パワーを制御する。
【００３７】
シリアルドライバ１３は、ＢＴ対応アンテナ１４が受信しラジオモデム１１を介してリンクコントローラ１２へ供給されたデータを、無線通信ＣＰＵ１５へ供給する。また、シリアルドライバ１３は、画像データを撮像部１８から読み出し、ＤＲＡＭ１６へ供給する。さらに、シリアルドライバ１３は、プリンタ３へ送信する画像データをＤＲＡＭ１６から読み出し、リンクコントローラ１２へ供給する。
【００３８】
ＢＴ対応アンテナ１４は、２．４ＧＨｚ帯の無線データを送信及び受信する。ＢＴ対応アンテナ１４は、ラジオモデム１１から供給された無線データを近距離無線通信網４を介してプリンタ３へ送信するとともに、プリンタ３から出力された無線データを近距離無線通信網４を介して受信してラジオモデム１１へ出力する。
【００３９】
ＢＴ対応アンテナ１４が受信する無線データとしては、デジタルスチルカメラ２とプリンタ３との間の接続を確立したときにプリンタ３から送信されるデータや、プリンタ３によって印刷される画像のアスペクト比を示す画像サイズデータなどが挙げられる。また、ＢＴ対応アンテナ１４が送信する無線データとしては、プリンタ３に対して接続を要求するためのデータや、プリンタ３に対して送信する画像データなどが挙げられる。
【００４０】
無線通信ＣＰＵ１５は、システムバス１９を介して、ラジオモデム１１、リンクコントローラ１２、シリアルドライバ１３、ＢＴ対応アンテナ１４を制御するための制御プログラムを、フラッシュメモリ１７から読み込み、制御信号を生成する。無線通信ＣＰＵ１５が、ラジオモデム１１、リンクコントローラ１２、シリアルドライバ１３、ＢＴ対応アンテナ１４を制御することにより、デジタルスチルカメラ２とプリンタ３との間でデータの送受信を行うことが可能となる。
【００４１】
また、無線通信ＣＰＵ１５は、画像データのアスペクト比を変更するためのアスペクト比変更プログラムをフラッシュメモリ１７から読み出して、プリンタ３へ送信するように指定された画像データのアスペクト比を変更し、プリンタ３によって印刷される画像のアスペクト比と同一となるように変更する。
【００４２】
詳述すると、先ず、無線通信ＣＰＵ１５は、ＢＴ対応アンテナ１４が受信した画像サイズデータに基づいて算出したアスペクト比とプリンタ３によって印刷される画像のアスペクト比とを比較する。そして、無線通信ＣＰＵ１５は、プリンタ３へ送信するように指定された画像のアスペクト比とプリンタ３が指定した画像サイズのアスペクト比とが異なるときには、プリンタ３へ送信するように指定された画像に対して、当該画像の対向する２つの端部に沿った矩形領域を付加する処理を行い、矩形領域を含めた画像のアスペクト比を、プリンタ３によって印刷される画像のアスペクト比と一致させる。また、無線通信ＣＰＵ１５は、付加した矩形領域の色を、プリンタ３によって画像が印刷されるときに使用される紙の色と同じ色とする。
【００４３】
例えば、デジタルスチルカメラ２によって撮像された画像のアスペクト比が４：３であり、プリンタ３が当該画像を白いはがきに対して印刷するときには、無線通信ＣＰＵ１５は、図４（Ａ），（Ｂ）に示すように、画像Ｐの両端に沿った矩形領域Ａ１，Ａ２を、画像Ｐに対して付加する処理を行い、矩形領域を含めた画像のアスペクト比を、３：２とする。また、無線通信ＣＰＵ１５は、矩形領域の色を白色とする。
【００４４】
さらに、無線通信ＣＰＵ１５は、矩形領域が付加された画像のデータを、シリアルドライバ１３へ供給する。
【００４５】
無線通信ＣＰＵ１５が、以上説明した方法によってプリンタ３へ送信する画像の矩形領域を含めたアスペクト比とプリンタ３によって印刷される画像のアスペクト比とを一致させることによって、プリンタ３は、デジタルスチルカメラ２が撮像した画像を印刷するときに、例えば歪みが生じたり一部削除されるなどの画像の変更がない状態で印刷することが可能となる。また、無線通信ＣＰＵ１５が、付加した矩形領域の色をプリンタ３へ送信する画像が印刷されるときに使用される紙と同じ色とすることにより、画像を印刷するときに矩形領域が目障りとなる状態で印刷されることや、印刷された画像の使用が制限されること、印刷された画像を使用するときに煩雑な作業を行う必要が生じることなどの問題点を、低減することが可能となる。
【００４６】
ＲＡＭ１６は、無線通信ＣＰＵ１５がフラッシュメモリ１７に記憶されているプログラムを実行するときに作業領域となり、データの格納を随時行う。
【００４７】
フラッシュメモリ１７は、ラジオモデム１１、リンクコントローラ１２、シリアルドライバ１３、ＢＴ対応アンテナ１４を制御するための制御プログラムや、画像データのアスペクト比を変更するためのアスペクト比変更プログラムなどが記憶されている。
【００４８】
撮像部１９は、ＣＣＤ（Ｃｈａｒｇｅ￣Ｃｏｕｐｌｅｄ　Ｄｅｖｉｃｅ）などの撮像素子や、撮像された画像を記憶するための画像記憶部などを備えており、被写体を撮像して画像を作成する。
【００４９】
つぎに、デジタルスチルカメラ２からプリンタ３へ画像データを送信する方法について説明する。なお、本実施の形態では、Ｂｌｕｅｔｏｏｔｈのプロファイルとして、Ｂａｓｉｃ　Ｉｍａｇｉｎｇ　Ｐｒｏｆｉｌｅを使用する。
【００５０】
先ず、図５に示すように、ステップＳＴ１において、ユーザが、デジタルスチルカメラ２によって撮像された画像の中から印刷する画像を選択する。
【００５１】
次に、ステップＳＴ２において、ユーザが、選択した画像の送信先を、デジタルスチルカメラ２上で選択する。本実施の形態では、プリンタ３を選択する。
【００５２】
次に、ステップＳＴ３において、デジタルスチルカメラ２とプリンタ３との間にＢＴ方式に準じた接続が確立される。
【００５３】
ステップＳＴ３では、最初に、デジタルスチルカメラ２が、近距離無線通信網４を介してプリンタ３との接続を要求するＢＴ接続要求（Ｓ１）をプリンタ３に送信する。次に、デジタルスチルカメラ２でプロトコルスタック２ａの下位レイヤに従った処理が行われるとともに、プリンタ３でＢＴ接続要求（Ｓ１）を認識してプロトコルスタック３ａの下位レイヤに従った処理が行われることで、デジタルスチルカメラ２とプリンタ３との間にＢＴ方式に準じた接続が確立される。そして、プリンタ３が、デジタルスチルカメラ２に対してＢＴ接続完了メッセージ（Ｓ２）を送信する。
【００５４】
次に、ステップＳＴ４において、デジタルスチルカメラ２が、プリンタから画像サイズデータを受信する。
【００５５】
ステップＳＴ４では、最初に、デジタルスチルカメラ２が、要求する画像サイズのデータを送信するように、プリンタ３に対して画像サイズデータ送信要求（Ｓ３）を送信する。そして、プリンタ３が、画像サイズデータ送信要求（Ｓ３）を認識して、画像サイズデータ（Ｓ４）をデジタルスチルカメラ２に対して送信する。
【００５６】
次に、ステップＳＴ５において、デジタルスチルカメラ２が、プリンタ３に対して送信する画像のアスペクト比を変更する。
【００５７】
ステップＳＴ５では、最初に、デジタルスチルカメラ２が、画像サイズデータ（Ｓ４）からアスペクト比を算出する。次に、デジタルスチルカメラ２は、算出したアスペクト比とプリンタ３に送信するように指定された画像のアスペクト比とを比較する。そして、プリンタ３に送信するように指定された画像のアスペクト比が、画像サイズデータから算出されるアスペクト比と異なるときには、デジタルスチルカメラ２は、選択された画像の両端に端部に沿った矩形領域を付加するとともに、当該矩形領域の色を、プリンタ３によって画像が印刷されるときに使用される紙の色と同じとする。
【００５８】
次に、ステップＳＴ６において、デジタルスチルカメラ２は、矩形領域を付加した画像のデータ（Ｓ５）を、プリンタ３へ送信する。
【００５９】
そして、ステップＳＴ７において、プリンタ３は、デジタルスチルカメラ２から送信された画像を印刷する。
【００６０】
以上説明したように、本発明を適用したデジタルスチルカメラ２では、先ず、プリンタ３へ送信するように指定された画像のアスペクト比と画像サイズと画像サイズデータから算出されたアスペクト比とを比較する。そして、プリンタ３へ送信するように指定された画像のアスペクト比と画像サイズデータから算出されるアスペクト比とが異なるときには、プリンタ３へ送信するように指定された画像の両端に端部に沿った矩形領域を付加する処理を行い、矩形領域を含めた画像のアスペクト比を、画像サイズデータから算出されるアスペクト比と一致させる。また、無線通信ＣＰＵ１５は、付加した矩形領域の色を、プリンタ３によって画像が印刷されるときに使用される紙の色と同じ色とする。
【００６１】
デジタルスチルカメラ２が、以上説明した方法によって、プリンタ３へ送信する画像の矩形領域を含めたアスペクト比と画像サイズデータから算出されるアスペクト比とを一致させることで、プリンタ３は、デジタルスチルカメラ２が撮像した画像を印刷するときに、変形や削除などの画像の変更がない状態で印刷することが可能となる。また、付加した矩形領域の色をプリンタ３へ送信する画像が印刷されるときに使用される紙と同じ色とすることにより、印刷された画像において矩形領域が目障りとなることや、印刷された画像の使用が制限されることなどの問題点を、低減することが可能となる。
【００６２】
すなわち、デジタルスチルカメラ２によれば、プリンタ３へ送信するように指定された画像のアスペクト比と画像サイズデータから算出されるアスペクト比とが異なるときにも、デジタルスチルカメラ２が撮像した画像と比較して見た目が変化しない状態の画像を印刷することが可能となる。
【００６３】
【発明の効果】
本発明に係る撮像装置では、先ず、画像出力装置へ送信するように指定された画像のアスペクト比と送受信手段が受信した画像サイズデータから算出されるアスペクト比とが比較される。そして、画像出力装置へ送信するように指定された画像のアスペクト比と画像サイズデータから算出されるアスペクト比とが異なるときには、画像出力装置へ送信するように指定された画像の両端に端部に沿った矩形領域を付加する処理を行い、矩形領域を含めた画像のアスペクト比を、画像データから算出されたアスペクト比と一致させる。
【００６４】
本発明に係る撮像装置が、以上説明した方法によって画像出力装置へ送信する画像の矩形領域を含めたアスペクト比と画像サイズデータから算出されるアスペクト比とを一致させることによって、画像出力装置は、撮像装置が撮像した画像を出力するときに、画像の変更がない状態で出力することが可能となる。また、本発明に係る撮像装置が、付加した矩形領域の色を画像出力装置へ送信する画像が画像出力装置から出力されるときの背景色と同じ色とすることにより、出力された画像において矩形領域が目障りとなることや、印刷された画像の使用が制限されることなどの問題点を低減することが可能となる。
【００６５】
すなわち、本発明に係る撮像装置によれば、画像出力装置へ送信するように指定された画像のアスペクト比と画像サイズデータから算出されるアスペクト比とが異なるときにも、撮像装置が撮像した画像と比較して見た目が変化しない状態の画像を印刷することが可能となる。
【図面の簡単な説明】
【図１】本発明を適用した画像送信システムの構成を示す図である。
【図２】デジタルスチルカメラのプロトコルスタック、及びプリンタのプロトコルスタックを示す図である。
【図３】本発明を適用したデジタルスチルカメラを示すブロック図である。
【図４】プリンタに送信されるように指定された画像の両端に、端部に沿った矩形領域が付加された状態を示す模式図である。
【図５】本発明を適用したデジタルスチルカメラとプリンタとの間で行う通信制御シーケンスを説明するための図である。
【符号の説明】
１　画像送信システム、２　デジタルスチルカメラ、３　プリンタ、４　近距離無線通信網、１１　ラジオモデム、１２　リンクコントローラ、１３　シリアルドライバ、１４　ＢＴ対応アンテナ、１５　無線通信ＣＰＵ、１６　ＤＲＡＭ、１７　フラッシュメモリ、１８　撮像部、１９　システムバス、２１　スイッチ、２２　受信部、２３　送信部、２４　ホッピングシンセサイザ部
【図１】
2004040214.tif 000003
【図２】
2004040214.tif 000004
【図３】
2004040214.tif 000005
【図４】
2004040214.tif 000006
【図５】
2004040214.tif 000007